(57)【要約】【課題】互いに直交する三次元の軸周りの直感的な回転操作により、回転方向及び回転量に応じて異なる発光状態を呈する照明具であって、回転方向によって操作感が変わることなく、より直感的な操作を可能とするものを提供する。【解決手段】照明具１は、発光素子１１２を内蔵し、互いに直交する三次元の軸周りの回転方向及び回転量に応じて、発光方向、発光量、色味のいずれか又は複数が変化する発光体１１と、発光体１１を載置可能であって、発光体１１に対して駆動電力源を供給する台座１２とからなり、発光体１１は、互いに直交する三次元の軸周りの回転方向及び回転量を検出する検出手段を有している。【選択図】図１
2020013700.tif 000002
【特許請求の範囲】
【請求項１】
発光素子を内蔵し、互いに直交する三次元の軸周りの回転方向及び回転量に応じて、発光方向、発光量、色味のいずれか又は複数が変化する発光体と、
上記発光体を載置可能であって、上記発光体に対して駆動電力源を供給する台座と、からなり、
上記発光体は、
互いに直交する三次元の軸周りの回転方向及び回転量を検出する検出手段、を有する、
ことを特徴とする照明具。
【請求項２】
上記台座には、上記発光体の外観形状の一部を象った、上記発光体を載置するための凹部が設けられている、
請求項１記載の照明具。
【請求項３】
上記発光体は、球体形状からなり、
上記台座の凹部は、上断面弧状からなる、
請求項２記載の照明具。
【請求項４】
上記発光体と上記台座は夫々、互いと反発する磁力を備えた第一の磁力体と第二の磁力体、をさらに有し、
上記磁力体による反発力によって、上記発光体が上記台座の上方に浮遊した状態に維持される、
請求項１乃至３いずれかの項に記載の照明具。
【請求項５】
上記台座が有する第二の磁力体は、電磁石である、
請求項４記載の照明具。
【請求項６】
上記検出手段は、加速度センサ、地磁気センサのいずれか又は双方によって構成される、
請求項１乃至５いずれかの項に記載の照明具。
【請求項７】
上記発光体は、外部から電波を受信する受電用アンテナ、を有し、
上記載置部は、上記受電用アンテナに対して電波を送信する送電用アンテナ、を有する、
請求項１乃至５いずれかの項に記載の照明具。
【請求項８】
上記発光体の表面には、上記発光素子から放出される光を部分的に遮る化粧模様が施されている、
請求項１乃至７いずれかの項に記載の照明具。
【発明の詳細な説明】
【技術分野】
【０００１】
本発明は、互いに直交する三次元の軸周りに回転させることで、回転方向及び回転量に応じた発光状態を得られる発光体を備えた照明具に関する。
【背景技術】
【０００２】
特許文献１では、発光部材と、上記発光部材の発光状態を調整する調光部材と、を備える照明装置において、上記照明装置が回転された際に、その回転状態に基いて上記発光部材の発光状態を変化させる第１調光を行うことを特徴とする照明装置が提案されている。
【先行技術文献】
【特許文献】
【０００３】
【特許文献１】特開２０１７−５０１２２号公報
【発明の概要】
【発明が解決しようとする課題】
【０００４】
しかしながら、特許文献１記載の照明装置は、円盤形状からなり、ｘ、ｙ、ｚの三方の軸方向への動かし方が方向ごとに異なっているため、ユーザは方向ごとに異なる操作を要求される。また、方向ごとに発光の具合も異なっている。さらに、電力をケーブル等で外部から供給する場合には、三方の軸方向への回転の自由度が制限されてしまう。
【０００５】
そこで、本発明は、互いに直交する三次元の軸周りの直感的な回転操作により、回転方向及び回転量に応じて異なる発光状態を呈する照明具であって、回転方向によって操作感が変わることなく、より直感的な操作を可能とするものを提供することを目的とする。
【課題を解決するための手段】
【０００６】
上記目的を達成するため、本発明に係る照明具は、発光素子を内蔵し、互いに直交する三次元の軸周りの回転方向及び回転量に応じて、発光方向、発光量、色味のいずれか又は複数が変化する発光体と、上記発光体を載置可能であって、上記発光体に対して駆動電力源を供給する台座と、からなり、上記発光体は、互いに直交する三次元の軸周りの回転方向及び回転量を検出する検出手段、を有することを特徴とする。
【０００７】
また、上記台座には、上記発光体の外観形状の一部を象った、上記発光体を載置するための凹部が設けられているものとしてもよい。
【０００８】
また、上記発光体は、球体形状からなり、上記台座の凹部は、上断面弧状からなるものとしてもよい。
【０００９】
また、上記発光体と上記台座は夫々、互いと反発する磁力を備えた第一の磁力体と第二の磁力体、をさらに有し、上記磁力体による反発力によって、上記発光体が上記台座の上方に浮遊した状態に維持されるものとしてもよい。
【００１０】
また、上記台座が有する第二の磁力体は、電磁石であるものとしてもよい。
【００１１】
また、上記検出手段は、加速度センサ、地磁気センサのいずれか又は双方によって構成されるものとしてもよい。
【００１２】
また、上記発光体は、外部から電波を受信する受電用アンテナ、を有し、上記載置部は、上記受電用アンテナに対して電波を送信する送電用アンテナ、を有するものとしてもよい。
【００１３】
また、上記発光体の表面には、上記発光素子から放出される光を部分的に遮る化粧模様が施されているものとしてもよい。
【図面の簡単な説明】
【００１４】
【図１】本発明の実施形態に係る照明具を示した外観斜視図である。
【図２】本実施形態に係る照明具を示した外観斜視図である。
【図３】本実施形態に係る照明具が備える機能を示した機能ブロック図である。
【図４】本発明の別の実施形態に係る照明具を示した外観斜視図である。
【図５】本発明の別の実施形態に係る照明具を示した外観斜視図である。
【図６】本発明の別の実施形態に係る照明具を示した外観斜視図である。
【発明を実施するための形態】
【００１５】
次に、本発明の実施形態に係る照明具１について、図を参照して説明する。
図１及び図２に示されるように、本実施形態に係る照明具１は発光体１１と台座１２かなる。
発光体１１は、発光素子１１２を透明な球体形状の被覆体１１１に内蔵しており、互いに直交する三次元の軸周りの回転方向及び回転量に応じて、発光素子１１２の発光方向、発光量、色味のいずれか又は複数を変化させる。
【００１６】
また、この発光体１１は図３に示されるように、外部に光を放出する発光素子１１２、発光体１１の回転方向や回転量を検出するための検出機構１１４、発光体１１の回転方向や回転量に応じて発光素子１１２を制御する制御部１１３、電力の検出機構１１４、制御部１１３、及び発光素子１１２に供給する電力供給機構１１５を有している。
【００１７】
発光素子１１２は、発光体１１の内部の中心に備えられており、例えばチップ型のＬＥＤ等によって構成される。
この発光素子１１２は、透明な樹脂からなる被覆体１１１で覆われているが、被覆体１１１が透明であることから、放出する光によって外部を照射することができる。
なお、発光素子１１２は一つに限ることはなく、複数、設けてもよい。発光素子１１２を指向性を有するＬＥＤで構成し、一つのみ設ける場合には、一の方向のみを照らす照明となり、複数設けると共に、全方位に照射方向を向ければ、全体を照らす照明となる。
また、発光素子１１２は、ＬＥＤに限らず、蛍光灯や電球によって構成することもできる。
【００１８】
検出機構１１４は、発光体１１について、互いに直交する三次元の軸周りの回転方向及び回転量を検出する。
この検出機構１１４は例えば、加速度センサや地磁気センサ等、傾きや移動あるいは方角を検出可能な各種のセンサを単独又は組み合わせて実現され、特に限定されない。
【００１９】
制御部１１３は、発光素子１１２を点灯・消灯や、検出機構１１４によって検出された発光体１１の回転方向や回転量に応じて発光素子１１２の発光方向や発光量を制御する機能部である。
この制御部１１３は、各種の素子や回路によって実現され、検出機構１１４によって検出された発光体１１の回転方向や回転量に応じた発光素子１１２の発光方向や発光量の設定情報を記憶する設定情報記憶手段や、設定情報に基づいて発光素子１１２に制御信号を送信する制御信号送信手段を構成する。
【００２０】
ここで、発光体１１の回転方向や回転量に応じた発光素子１１２の制御は例えば、ｘ、ｙ、ｚの三次元の軸方向について、ｘ軸周りに回転させたときは回転量に応じて光量を変え、ｙ軸周りに回転させたときは色味を変え、ｚ軸周りに回転させたときは点灯・消灯を切り替える。
また、発光方向の制御は例えば、三次元の軸方向ごとにプラス方向とマイナス方向を照射する発光素子１１２を設けておき、設定に応じた発光素子１１２を点灯させることで可能となる。また、複数の発光素子１１２を設けて機械的に制御せずとも、指向性を有し、一方向のみを照射する発光素子１１２を用いることで、回転方向に応じて所定の方向を照射するようにすることもできる。
【００２１】
電力供給機構１１５は、台座１２の電力源供給機構１２１から電力源の供給を受けて、電力を検出機構１１４、制御部１１３、及び発光素子１１２に供給する機能部である。
ここで、台座１２の電力源供給機構１２１と発光体１１の電力供給機構１１５は例えば、電磁誘導を利用した所謂ワイヤレス給電を行う機構であり、台座１２の電力源供給機構１２１が送電コイル、発光体１１の電力供給機構１１５が受電コイルを構成する。
なお、電力の供給は、電磁誘導に限らず、磁気共鳴など、他のワイヤレス給電の方式によって構成することができる。
ワイヤレス給電にすることにより、回転方向や回転量が制限されることなく、発光体１１を回転させることができる。
【００２２】
被覆体１１１は、発光素子１１２と共に、検出機構１１４、制御部１１３、及び電力供給機構１１５を内部に埋設させた状態に被覆する部材である。
本実施形態において、この被覆体１１１は球状に成形された透明な合成樹脂からなり、内部に埋設させた発光素子１１２の光を外部に放出させることができる。
【００２３】
なお、本実施形態では、被覆体１１１は透明であるものとしたが、これに限らず、発光素子１１２が発する光を外部に放出可能であれば、透明でも半透明でもよく、透光性又は光透過性を有する限り、色味を有していてもよい。
また、本実施形態では、被覆体１１１の材料は合成樹脂としたが、これに限らず、一定の形状を維持することができると共に、発光素子１１２が発する光を外部に放出可能とさせられる材質であれば、ガラスや紙などによって構成することもできる。
【００２４】
台座１２は、発光体１１を載置可能であって、発光体１１に対して電力源を供給する電力源供給機構１２１を有する。
この台座１２には、球状の発光体１１を載置するための載置部１２aが発光体１１側に設けられている。載置部１２aは、内側に向かって凹んだ断面弧状の凹部として構成されており、載置部１２aに発光体１１を載置すると、載置部１２aの表面と球状の発光体１１の一部が略隙間なく当接し、発光体１１を台座１２上に固定的に載置しておくことができる。なお、載置部１２aに発光体１１を載置させた状態において、発光体１１は載置部１２a上を摺動させながら三次元の軸周りに自由に回転させることができる。
【００２５】
電力源供給機構１２１は、発光体１１を動作させるための動力源を供給する機構であり、外部電源と接続している。
上述の通り、台座１２の電力源供給機構１２１と発光体１１の電力供給機構１１５は例えば、電磁誘導を利用した所謂ワイヤレス給電を行う機構であり、台座１２の電力源供給機構１２１が外部電源と接続する送電コイル、発光体１１の電力供給機構１１５が受電コイルを構成し、これにより誘導電流を生じさせて発光体１１を動作可能とする。
【００２６】
以上の構成からなる照明具１の使用について説明する。
ユーザは、台座１２に適宜に設けられている電源スイッチを入れるなどして、外部電源から台座１２へ電力を供給する。
これに応じて、台座１２の電力源供給機構１２１から発光体１１の電力供給機構１１５に電力源が供給されると、電力供給機構１１５は電力源を電力に変換して発光素子１１２、制御部１１３、及び検出機構１１４に電力を供給する。
【００２７】
発光体１１は電力供給開始時の設定に応じて、発光素子１１２を点灯させたり、消灯のままにさせたりする。
ここで、ユーザが発光体１１を三次元の軸周りに回転させると、検出機構１１４は回転方向と回転量を検出し、検出値を制御部１１３に送る。これに応じて制御部１１３は、設定情報を参照して、回転方向と回転量に応じた発光状態に発光素子１１２を制御する。
【００２８】
このような本実施形態に係る照明具１によれば、互いに直交する三次元の軸周りの直感的な回転操作により、回転方向及び回転量に応じて異なる発光状態を得ることができる。
【００２９】
なお、以上の本実施形態においては、発光体１１の検出機構１１４は加速度センサによるものとしたが、他の例によることもできる。例えば、台座１２側に磁性体を設けると共に、発光体１１内にコイルを設けておき、磁束の定量的な変化から発光体１１の回転方向や回転量を検出し、検出した回転方向や回転量に応じた制御を行うようにすることもできる。
【００３０】
この場合、発光体１１の受電用アンテナを設けると共に、台座１２に送電用アンテナを設けてワイヤレス給電を可能にし、発光体１１の傾きに応じて発光体に流れる電圧や電流を変化させて発光体１１の明るさを調整することができる。また、合わせて、電圧や電流の変化に応じて色を変えたり発光方向を変える回路を組み込むことで、明るさのみならず、色味や発光方向を変えることも可能である。
【００３１】
また、以上の本実施形態において、発光体１１は台座１２から浮かせるようにしてもよい。
この場合には例えば、図４に示すように、発光体１１と載置部１２内に夫々、互いに反発する極性をもった磁力体１１６、１２２を内蔵させる。発光体１１は、磁力体の反発力によって載置部１２上に浮遊し、下方を照らすこともできる。
なお、磁力体１１６、１２２は永久磁石でも電磁石でもよいが、少なくとも磁力体１２２を電磁石とすることで、台座１２に電力源が供給されることによって磁力体１２２が磁性を帯び、発光体１１が台座１２から浮き上がるといった演出が可能である。
【００３２】
また、以上の本実施形態では、照明具１の発光体１１は球状に構成したが、これに限らず、他の形状に構成することもできる。
例えば、図５に示す照明具２の発光体２１のように立方体にしたり、図６に示す照明具３の発光体３１のように正多面体（図６の例では正十二面体）にしたりすることができる。少なくとも、点対称な立体形状であれば、三軸方向ごとに操作感を異ならせることがない。なお、点対称な立体ではないが、正四面体も、三軸方向ごとに操作感を異ならせることがなく、本発明が適用可能な形状となり得る。
【００３３】
なお、発光体２１、３１のように平らな面がある場合には、台座１２のように凹状の載置部１２ａを設ける必要はなく、台座２２、３２の発光体２１、３１載置面を平らにしておいてよいし、台座１２の凹部の形状を、発光体２１、３１の外観形状の一部を象った形状にし、凹部に固定的に載置可能にしてもよい。
【００３４】
以上の本発明については、照明として用いるほか、発光体１１、２１、３１の被覆体１１１、２１１、３１１の表面に発光素子１１２、２１２、３１２から放出される光を部分的に遮る化粧模様を施し、光が壁等に模様を創出するようにしてもよい。例えば、化粧模様として星座模様を施して簡易なプラネタリウムのようにすることもできる。
【符号の説明】
【００３５】
１      照明具
１１    発光体
１１１  被覆体
１１２  発光素子
１１３  制御部
１１４  検出機構
１１５  電力供給機構
１２    台座
１２ａ  載置部
１２１  電力源供給機構
【図１】
2020013700.tif 000003
【図２】
2020013700.tif 000004
【図３】
2020013700.tif 000005
【図４】
2020013700.tif 000006
【図５】
2020013700.tif 000007
【図６】
2020013700.tif 000008
【手続補正書】
【提出日】平成30年10月4日(2018.10.4)
【手続補正１】
【補正対象書類名】特許請求の範囲
【補正対象項目名】請求項７
【補正方法】変更
【補正の内容】
【請求項７】
上記発光体は、外部から電波を受信する受電用アンテナ、を有し、
上記台座は、上記受電用アンテナに対して電波を送信する送電用アンテナ、を有する、
請求項１乃至６いずれかの項に記載の照明具。